(57)【要約】【課題】従来では、記憶部に格納された原画像データから見出し画像データを作成して、見出し画像を表示部に表示していた。従って、見出し画像を展開するのに時間が掛かること、展開画像データの転送に時間が掛かることから、見出し画像データが表示部に表示される速度が遅い問題があった。【解決手段】本発明の電子機器では、第１記憶部に格納された原画像データ３１を、第１画像処理部１３にて、見出し画像データ３３よりも小さく展開して展開画像データ３２を作成している。展開画像データ３２は第２記憶部を経由して、第２画像処理部１７にて拡大されることにより見出し画像データ３３となる。従って、展開画像データ３２が小さいことから原画像データ３１の展開に係る時間を短縮することができる。更に、展開画像データ３２の転送に係る時間も短縮される。【選択図】    図３
2004235767.tif 000002
【特許請求の範囲】
【請求項１】
見出し画像データを表示する表示手段を具備する携帯端末機器に於いて、
原画像データが圧縮された圧縮データを蓄積する第１の記憶手段と、
前記圧縮データを前記見出し画像データよりも小さく展開して展開画像データを作成する画像展開手段と、
前記展開画像データを拡大して前記見出し画像データを作成する画像拡大手段とを具備することを特徴とする携帯端末機器。
【請求項２】
前記第１の記憶手段よりも高速で動作する第２の記憶手段を備え、前記展開画像データは前記第２の記憶手段に保存されることを特徴とする請求項１記載の携帯端末機器。
【請求項３】
前記表示手段は前記画像拡大手段を有し、前記表示手段に入力された前記展開画像データは、前記画像拡大手段により拡大されることを特徴とする請求項２記載の携帯端末機器。
【請求項４】
前記第２の記憶手段よりも高速で動作する第３の記憶手段を備え、前記第３の記憶手段に保存された前記見出し画像データが前記表示手段に供給されることを特徴とする請求項２記載の携帯端末機器。
【請求項５】
前記圧縮データは、ＪＰＧまたはＪＰＧ２０００の形式で前記第１の記憶手段に保存されることを特徴とする請求項１から請求項４のいずれかに記載の携帯端末機器。
【請求項６】
前記原画像データは、予め用意された原画像のサムネイル画像であることを特徴とする請求項１から請求項５のいずれかに記載の携帯端末機器。
【発明の詳細な説明】
【０００１】
【発明の属する技術分野】
本発明は、表示部に表示される見出し画像の表示速度を高速化した携帯端末に関するものである。
【０００２】
【従来の技術】
近年、電子機器は小型化、高機能化が進んでいる。例えば、携帯電話機では、画面が大型化し、大量の文字情報や画像を表示出来るようになっている。
【０００３】
すなわち、電子機器において表示画面が大型化し、多くの情報を表示出来るようになると共に、カラー化により画像の表示においても充分実用となるに従い、単なる文字の表示だけでなく、文字と画像を表示することが要望されている。
【０００４】
一方、携帯電話機等の携帯機器の中には、撮像レンズおよび入力光を電気信号に変換する撮像素子を備えるカメラが搭載された、いわゆるカメラ付携帯電話機等がある。このカメラ付携帯電話機では、記憶容量、画像表示サイズ、カメラの解像度および処理能力が向上している。
【０００５】
また、携帯端末の内部に蓄積された画像を、液晶ディスプレイ等の表示部に複数個表示する手段として、見出し画像がある。見出し画像とは、画像ファイルの一覧から素早く目的の画像にアクセスするために使われる小さな画像であり、原画像よりもサイズが小さいものである。
【０００６】
従来の見出し画像の表示方法として代表的な方法を２つ説明する（例えば、特許文献１参照）。第１の方法は、原画像を一度元の大きさに展開してから、それを縮小して、見出し画像を表示する方法である。第２の方法は、原画像を表示する大きさに展開された見出し画像を表示する方法である。
【０００７】
【特許文献１】
特開平１１−１８０４４号公報（第６頁、第２図）
【０００８】
【発明が解決しようとする課題】
しかしながら、見出し画像を表示する第１の方法では、画像を原画像の大きさに展開する為に、展開に係る時間が長くなってしまい、更に、展開された画像を１時的に保存する記憶装置が大型のものになってしまう問題があった。
【０００９】
また、見出し画像を表示する第２の方法では、作成される見出し画像が原画像に比べて小さいために、展開に係る時間を若干短縮することができる。しかしながら、見出し画像が原画像に比べてそれほど小さくないことから、画像の展開に係る時間の短縮に限界がある問題があった。
【００１０】
更に、上記した両方法にて、複数枚の原画像のサムネイル画像を表示部に表示する場合、画像の展開等に掛かる時間が更に長く成ってしまう問題があった。更に、携帯電話等の携帯端末は、フラッシュメモリー等の動作速度が遅いメモリで構成されている場合があり、この様な場合では上記した問題が更に顕著になっていた。
【００１１】
本発明は上記した問題点を鑑みて成されたものであり、本発明の主な目的は、表示部に表示される見出し画像の表示速度を高速化した携帯端末機器を提供することにある。
【００１２】
【課題を解決するための手段】
本発明の携帯端末機器は、見出し画像データを表示する表示手段を具備する携帯端末機器に於いて、原画像データが圧縮された圧縮データを蓄積する第１の記憶手段と、前記圧縮データを前記見出し画像データよりも小さく展開して展開画像データを作成する画像展開手段と、前記展開画像データを拡大して前記見出し画像データを作成する画像拡大手段とを具備することを特徴とする。従って、圧縮データを、表示される見出し画像データよりも小さく展開することで、展開に係る時間を短縮することが可能となる。このことから、使用者が操作してから見出し画像データが表示されるまでの時間を短縮することが可能となる。
【００１３】
また、本発明の携帯端末機器は、前記第１の記憶手段よりも高速で動作する第２の記憶手段を備え、前記展開画像データは前記第２の記憶手段に保存されることを特徴とする。従って、高速に動作する第２の記憶手段を用いることにより、展開画像データの転送速度を向上させることができる。
【００１４】
また、本発明の携帯端末機器は、前記表示手段は前記画像拡大手段を有し、前記表示手段に入力された前記展開画像データは、前記画像拡大手段により拡大されることを特徴とする。従って、表示部で展開画像データを拡大することができるので、見出し画像データが表示されるまでの時間を短縮することができる。
【００１５】
また、本発明の携帯端末機器は、前記第２の記憶手段よりも高速で動作する第３の記憶手段を備え、前記第３の記憶手段に保存された前記見出し画像データが前記表示手段に供給されることを特徴とする。従って、更に高速に動作する第３の記憶手段を用いることにより、展開画像データの転送速度を向上させることができる。
【００１６】
また、本発明の携帯端末機器は、前記圧縮データは、ＪＰＧまたはＪＰＧ２０００の形式で前記第１の記憶手段に保存されることを特徴とする。従って、これらの形式で保存することにより、展開の速度を更に向上させることが可能となる。
【００１７】
また、本発明の携帯端末機器は、前記原画像データは、予め用意された原画像のサムネイル画像であることを特徴とする。従って、原画像よりもサイズが小さいサムネイル画像を用いることにより、見出し画像データを作成する処理速度を更に向上させることができる。
【００１８】
【発明の実施の形態】
以下に、本発明における一実施の形態について、図１〜図７を参照にして詳細に説明する。本発明は、任意の携帯端末機器に適用できるが、以下では、好適な実施の形態として、折り畳み可能なカメラ付携帯電話機１（以下、携帯電話機と呼ぶ。）について説明する。尚、以下では折り畳み可能な携帯電話機が示されているが、この形態に限定されるものではなく、例えば、ストレート式の携帯電話機の場合でも良い。更に、ＰＤＡ（Ｐｅｒｓｏｎａｌ  Ｄｉｇｉｔａｌ  Ａｓｓｉｓｔａｎｔ）等にも本発明は適用可能である。
【００１９】
先ず、図１は本発明の一実施の形態である携帯電話機の（Ａ）開いた状態での内側（キー面）から見た概観図、（Ｂ）閉じた状態での外側（背面）から見た概観図であり、図２は同携帯電話機の電気的構成を説明する概略機能ブロック図である。
【００２０】
図１（Ａ）及び（Ｂ）に示す如く、例えば、スピーカ２は携帯電話機１の蓋部内側の上方中央に、マイク３は本体部内側の下方中央にそれぞれ配置されている。また、キー操作部２２は、決定の作業を行う決定キー、コマンドや画像等の選択を行う選択キーおよび数字・文字キー等から構成されている。更に、キー操作部２２は、カメラモードを起動させるカメラキー、撮影を行うためのシャッターキー、電源投入するための電源キー、メールモードを起動させるメールキー、等を具備しても良い。
【００２１】
そして、表示部１９は、スピーカ２が配置されている蓋部内側に四角形状で配置されており、もう１つの表示部１９は四角い形状で蓋部外側の中央付近に配置されている。更に、撮像部１２は、蓋部外側のヒンジ近くの中央付近に配置され、閉じた状態でも表示部１９で被写体を確認しながら撮影ができる。また、背面キー４は表示部１９の下方に配され、閉じた状態でシャッタキーとして使用され、使用者が自らを撮影するのに適している。
【００２２】
図２に示す如く、本実施の形態の携帯電話機１は、主に、制御部１１、撮像部１２、第１画像処理部１３、第２画像処理部１７、第１記憶部１４、第２記憶部１５、第３記憶部１６、表示ドライバ部１８、表示部１９、キー操作部２２、アンテナ２４、無線部２５、通信制御部２６とを備えている。
【００２３】
制御部１１は、携帯電話機１を構成する各部位の動作を制御し、例えば、各記憶部、各画像処理部および表示ドライバ部の制御を行っている。
【００２４】
撮像部１２は、撮像レンズと、ＣＣＤ（Ｃｈａｒｇｅ  Ｃｏｕｐｌｅｄ  Ｄｅｖｉｃｅ）イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどの撮像素子と、ＲＧＢの３色のカラーフィルタとを備える。撮像部１２は、被写体で反射されて撮像レンズに入射した光を、カラーフィルタを通してＲＧＢの３色光にし、ＲＧＢの３色光をそれぞれ前記撮像素子によって電気信号に変換する。
【００２５】
変換部２０は、増幅部、Ａ／Ｄ（アナログ／デジタル）変換部、信号処理部からなる。増幅部は、撮像部１２から送られてくるＲＧＢに対応した電気信号を増幅し、Ａ／Ｄ変換部に送る。Ａ／Ｄ変換部は、増幅部で増幅されたＲＧＢに対応した電気信号（アナログ）をデジタル信号に変換して画像データを出力し、信号処理部に送る。信号処理部は、Ａ／Ｄ変換部から送られてくる画像データに対して、画素の補間処理などの信号処理を行う。更に、変換部２０では、画像データの圧縮処理も行われ、例えば、ＪＰＥＧ（Ｊｏｉｎｔ  Ｐｈｏｔｏｇｒａｐｈｉｃ  Ｅｘｐｅｒｔｓ  Ｇｒｏｕｐ）またはＪＰＥＧ２０００（Ｊｏｉｎｔ  Ｐｈｏｔｏｇｒａｐｈｉｃ  Ｅｘｐｅｒｔｓ  Ｇｒｏｕｐ  ２０００）等の形式で画像データは圧縮される。圧縮された圧縮データは、第１記憶部１４に格納される。
【００２６】
第１記憶部１４は、原画像が圧縮された圧縮データが保存されている。原画像としては、撮像部１２により撮影された画像や、アンテナ２４を介して得られた画像が挙げられる。第１の記憶部１４には、複数個の圧縮データが保存されることから、動作速度よりも大きな記憶容量が要求され、フラッシュメモリーや磁気ドライブ等の不揮発性のメモリが好適に用いられる。
【００２７】
第２記憶部１５は、第１画像処理部により展開された展開画像データが一時的に保存される。従って、第２記憶部１５としては、ＳＲＡＭ（Ｓｔａｔｉｃ  Ｒａｎｄｏｍ  Ａｃｃｅｓｓ  Ｍｅｍｏｒｙ）やＤＩＭＭ（Ｄｕａｌ  Ｉｎ−ｌｉｎｅ  Ｍｅｍｏｒｙ  Ｍｏｄｕｌｅ）等の中程度の動作速度を有し、上述した第１記憶部よりも動作速度よりも動作速度が速いメモリが好適に用いられる。
【００２８】
第３記憶部１６は、第２画像処理部１７により拡大された見出し画像データが一時的に保存される。従って、第３記憶部１６としては、ＲＩＭ（Ｒａｍｂｕｓ  Ｉｎｔｅｒｆａｃｅ  Ｍｅｍｏｒｙ  Ｍｏｄｕｌｅ）等の、上述した第１記憶部１４および第２記憶部１５よりも高速で動作するメモリが好適に用いられる。ここで、第２画像処理部１７で処理された見出し画像データが、表示ドライバ部１８にダイレクトで入力される場合は、第３記憶部１６を省くことができる。
【００２９】
第１画像処理部１３は、第１記憶部１４に保存された圧縮データを、見出し画像データよりも小さく展開する機能を有する。圧縮データがＪＰＥＧの形式で圧縮されている場合は、圧縮データを部分的に展開することにより、全体的に展開する場合よりも高速に展開することが可能となる。また、圧縮データがＪＰＥＧ以外の形式で保存されている場合には、一度元の大きさに展開してから、画像を間引くことにより、見出し画像よりも小さな展開画像データを得ることができる。第１画像処理部１３にて作成された展開画像データは、第２記憶部１５に一時的に保存される。第１画像処理部１３による圧縮画像の展開方法に関しては後述する。
【００３０】
第２画像処理部１７は、第２記憶部１５に保存された展開画像データを拡大することにより、見出し画像データを作成する働きを有する。作成された見出し画像データは、表示ドライバ部１８に入力される。また、第２画像処理部１７を、表示ドライバ部１８に設けることも可能であり、この場合は、表示ドライバ部１８に入力された展開画像データが、第２画像処理部１７により拡大されて見出し画像データが作成される。
【００３１】
制御部１１は、上記した各記憶部および各画像処理部に制御信号を送信するとともに、表示ドライバ部１８も制御する。表示ドライバ部１８は、表示部１９に表示しようとする画像データに従って、２表示部１９の各画素電極に対して駆動電圧を印加する。表示部１９は、液晶ディスプレイまたはＥＬ（Ｅｌｅｃｔｒｏ  Ｌｕｍｉｎｅｓｃｅｎｓｅ）ディスプレイなどで実現され、ドライバ部１８を介して送られてくる画像データに基づく画像を表示する。
【００３２】
キー操作部２２は、数字および文字を入力するためのキーなどから構成される。
【００３３】
アンテナ２４は、無線電波を介して基地局と無線通信を行うときに、音声データ、文字データおよび画像データなどを送受信する。無線部２５は、受信時は、基地局からアンテナ２４を介して受信したデータを復調し、送信時は、通信制御部２６から送られてくる文字データおよび画像データなどを変調して増幅し、アンテナ２４を介して基地局に送信する。通信制御部２６は、無線部２５が復調した文字データおよび画像データなどの受信データを所定の通信プロトコルに基づいて制御部１１に送る。無線部２５、通信制御部２６を介して受信した相手先からの受信データは、第２メモリ１５に記憶される。
【００３４】
図３を参照して、第１記憶部１４に格納された圧縮された原画像データ３１から見出し画像データ３３を作成して、この見出し画像データ３３を表示部１９に表示するシステムを説明する。図３の左側のフローチャートは、処理の流れを示しており、右側では、各処理段階に於ける画像データの大きさを示している。以下の説明では、１６０×１２０画素の原画像データ３１から、８０×６０の見出し画像データ３３を作成するものとして説明する。
【００３５】
第１記憶部１４では、例えば１６０×１２０画素の原画像データ３１が、ＪＥＧ等の所定の圧縮形式で圧縮データとして保存されている。ここで、原画像データは、圧縮が施されていないＢＭＰ（ＢｉｔＭａＰｓ）等の形式で保存されても良い。更に、複数個の原画像データが、第１の記憶部１４に保存されても良い。原画像データ３１は、第１画像処理部１３に転送される。また、原画像データ３１の代替として、原画像データ３１に付帯したサムネイル画像を用いることも可能である。このことにより計算回数の更なる削減を行うことができる。
【００３６】
第１画像処理部１３は画像展開手段として機能し、圧縮されている原画像データ３１を、見出し画像データ３３よりも小さく展開する。ここでは、１６０×１２０画素の原画像データ３１を展開して、４０×３０画素の展開画像データを作成している。ここで、原画像データ３１がＪＰＥＧ形式で圧縮されている場合は、逆量子化のステップで、ＤＣＴ計数の低周波成分に対応する成分のみを選択することで、画像の展開に係る時間を１／１６程度まで削減することができる。この方法に関しては、後述する。また、原画像データ３１がＪＰＥＧ以外の形式で圧縮されている場合は、１度元の大きさに展開した後に、４０×３０画素の大きさまで間引くことで、展開画像データ３２を作成している。ここで作成された展開画像データ３２は、第２記憶部１５に保存される。展開画像データ３２は、見出し画像データ３３よりもファイルサイズが小さいことから、転送に係る時間を短縮することができる。
【００３７】
第２記憶部１５では、展開画像データ３２が一時的に保存される。また、展開画像データ３２はファイルサイズが小さいことから、第２記憶部１５は比較的容量が小さいものを使用することができる。また、第２記憶部１５として、第１記憶部１４よりも動作速度が高速なメモリを用いることにより、全体の処理速度を向上させることができる。また、複数個の展開画像データ３２を、第２記憶部１５に保存することも可能である。第２記憶部１５に一時的に保存された展開画像データ３２は、第２画像処理部１７に転送される。
【００３８】
第２画像処理部１７は画像拡大手段として機能し、展開画像データ３２を拡大することにより、見出し画像データ３３を作成している。ここでは、４０×３０画素の大きさの展開画像データ３２を２倍に拡大することにより、８０×６０画素の見出し画像データ３３を作成している。作成された見出し画像データ３３は、第３記憶部１６に転送される。
【００３９】
第３記憶部１６では、見出し画像データ３３が一時的に保存される。第３記憶部１６として、高速で動作するメモリを用いることにより、全体の処理速度を向上させることができる。好適には、上述した第１記憶部１４および第２記憶部１５よりも高速で動作するメモリを用いることにより、全体の動作速度を向上させることができる。また、複数個の見出し画像データ３３が、第３記憶部１６に保存されても良い。
【００４０】
表示ドライバ部１８にて処理された見出し画像データ３３は、表示部１９に表示される。複数個の見出し画像データ３３が表示部１９に整列して表示されても良い。
【００４１】
図４を参照して、原画像データ３１から見出し画像データ３３を作成して表示する他のシステムを説明する。同図に示すシステムの構成は図４に示したものと基本的には同様であり、相違点は、第３記憶部１６が省かれたことと、表示ドライバ部１８に第２画像処理部１７が接続する点にある。
【００４２】
第２記憶部１５に一時的に保存された４０×３０画素の展開画像データ３２は、直接に表示ドライバ部１８に転送される。そして、表示ドライブ部１８に接続された第２画像処理部１７により、８０×６０画素の見出し画像データ３３に拡大されて、表示部１９に表示される。従って、第３記憶部１６を省いた構成により、より簡素化された構成を得ることができる。また、表示ドライブ部１８に取り込んだ展開画像データ３２を拡大して見出し画像データ３３を作成することにより、より簡素化された構成を得ることができる。
【００４３】
図５を参照して、具体化された見出し画像データ３３の表示方法を説明する。図５（Ａ）は作業の流れを示すフローチャートであり、図５（Ｂ）は見出し画像データ３３が表示された状態をしめす図であり、図５（Ｃ）は原画像データ３１が表示された状態をしめす図である。
【００４４】
図５（Ａ）を参照して、原画像データ３１を表示する方法は、待ち受け画面を表示させるステップ（ＳＰ１）と、見出し画像データ３３の表示を行うステップ（ＳＰ２）と、見出し画像データ３３の選択を行うステップ（ＳＰ３）と、原画像データ３１の表示を行うステップ（ＳＰ４）と、他の原画像データ３１を見るか否かの選択を行うステップ（ＳＰ５）と、待ち受け画面を再び表示するステップ（ＳＰ６）とから構成されている。
【００４５】
図５（Ｂ）を参照して、携帯電話１の表示部１９には、複数個の見出し画像データ３３が表示されている（ＳＰ２）。そして、複数個の見出し画像データ３３が表示されていることから、使用者がキーを操作することにより、容易に所望の見出し画像データ３３を選択することができる（ＳＰ３）。
【００４６】
図５（Ｃ）を参照して、選択された見出し画像データ３３の原画像データ３１が、表示部１９に表示されている（ＳＰ４）。そして、他の原画像データ３１の表示を行う場合や、見出し画像データ３３を再び見る場合には、ＳＰ２に戻る（ＳＰ５のＹＥＳ）。また、画像の閲覧を終了する場合には、待ち受け画面を表示部１９に表示する（ＳＰ６）。
【００４７】
本発明は、見出し画像データ３３を表示部１９に表示するステップ（ＳＰ２）にポイントを有する。具体的には、原画像データ３１から見出し画像データ３３を作成する際に、見出し画像データ３３よりも小さい展開画像データ３２を作成することにより、見出し画像データ３３を表示する速度を向上させている。従って、使用者がキーを操作してから、表示部１９に見出し画像データ３３が表示させるまでの時間を、大幅に短縮することができる。
【００４８】
図６を参照して、ＪＰＥＧ形式で圧縮された原画像データ３１を小さく展開する方法を説明する。即ち、第１画像処理部１３がどのように動作するかに関して説明する。図６（Ａ）はＪＰＥＧ形成で圧縮された原画像データ３１の展開方法を示すフローチャートであり、図６（Ｂ）および図６（Ｃ）は復号化された量子化係数のテーブルを示している。
【００４９】
図６（Ａ）を参照して、ＪＰＥＧの形式で圧縮された原画像データ３１を展開する概要を説明する。ＪＰＥＧ形式で圧縮された原画像データ３１は、原画像データ３１を復号化して量子化係数３４を生成するステップ（ＳＰ１）と、量子化係数３４を逆量子化することによりＤＣＴ係数を生成するステップ（ＳＰ２）と、ＤＣＴ係数を逆ＤＣＴ（Ｄｉｓｃｒｅｔｅ  Ｃｏｓｉｎｅ  Ｔｒａｎｓｆｏｒｍ）化することにより展開画像データ３２を生成するステップ（ＳＰ３）とを有する。
【００５０】
復号化を行うステップ（ＳＰ１）では、圧縮された原画像データ３１の全てを復号化することにより量子化係数３４を生成している。逆量子化を行うステップ（ＳＰ２）では、量子化係数３４を部分的に選択した後に、逆量子化を行って小さなサイズのＤＣＴ係数３５を生成している。逆ＤＣＴ化を行うステップ（ＳＰ３）では、小さなサイズのＤＣＴ係数を逆ＤＣＴ化することにより、小さなサイズの展開画像データ３２を生成している。
【００５１】
図６（Ｂ）および図６（Ｃ）を参照して、圧縮された原画像データ３１を小さく展開することにより、高速に展開する方法を説明する。
【００５２】
図６（Ｂ）を参照して、ＪＰＥＧでは、８×８画素の大きさのユニットでＤＣＴ変換および量子化を行うことにより圧縮が行われている。同図ではこのユニットを〔０、０〕から〔７、７〕までの８行８列のマトリックスで表現している。この中でも〔０、０〕は最も低周波のＤＣＴ係数に対応する量子化係数であり、〔７、７〕は最も高周波のＤＣＴ係数に対応する量子化係数である。
【００５３】
本発明では、逆量子化を行うステップ（ＳＰ２）に於いて、部分的に取り出された量子化係数３４のみを逆量子化することにより、画像の展開に係る時間を短縮している。更に、低周波のＤＣＴ係数に対応する量子化係数（ここではより〔０、０〕に近い箇所の量子化係数）を取り出して逆量子化を行うことにより、画像の劣化を極力抑止して、展開画像データ３２を得ることができる。
【００５４】
図６（Ｂ）を参照して、８×８個の量子化係数３４に於いて、〔０、０〕から〔３、３〕までの４×４個の量子化係数を取り出して、逆量子化を行うことができる。このことにより、（４×４）／（８×８）＝１／４の計算量で逆量子化を行うことができる。従って、逆ＤＣＴ化に於いても、計算量を１／４にすることができる。
【００５５】
図６（Ｃ）を参照して、ここでは、〔０、０〕の１つの量子化係数のみを逆量子化することにより、ＤＣＴ係数を生成している。従って、逆量子化のステップおよび逆ＤＣＴ化のステップに於いて、計算量を１／６４に削減することができる。
【００５６】
図７を参照して、従来の方法による見出し画像データの表示と、本発明による見出し画像データの表示との表示速度に関する比較を説明する。図７（Ａ）は従来の見出し画像データの表示方法を示すフローチャートであり、図７（Ｂ）は本発明の表示方法を示すフローチャートである。以下の説明では、１６０×１２０画素の原画像から作成された８０×６０画素の見出し画像データを表示部に表示するものとして説明する。
【００５７】
図７（Ａ）を参照して、従来の方法による見出し画像データの表示に係る時間を説明する。
【００５８】
原画像のデータは、第１記憶部５４から第１画像処理部５３に転送されて、一度１６０×１２０画素の元の大きさに展開される。そして、この画像を８０×６０画素の大きさに間引こことで見出し画像データが作成される。この作業に係る時間をＴ’（１）と仮定する。
【００５９】
次に、８０×６０画素の大きさの見出し画像データを、第１の画像処理部５３から第２記憶部５５に転送する。この作業に係る時間は、Ｔ’（２）＝８０×６０×βで近似できる。ここで、βは単位画素を転送するのに係る時間である。
【００６０】
次に、第２記憶部５５から表示部５９に、８０×６０画素の大きさの見出し画像データを転送する。この作業に係る時間は、Ｔ’（３）＝８０×６０×γで近似できる。ここで、γは単位画素を転送するのに係る時間である。
【００６１】
上記のことから、従来の方法に於いて、第１記憶部５４に格納された原画像データの見出し画像を、表示部５９に表示するまので時間Ｔ’は下記のように成る。
2004235767.tif 000003
図７（Ｂ）を参照して、本発明の方法による見出し画像データの表示に係る時間を説明する。以下の説明では、ＪＰＥＧ以外の方法で圧縮された原画像データを用いるものとして説明する。
【００６２】
原画像データは、第１記憶部１４から第１画像処理部１３に転送された後に、一度１６０×１２０画素に展開され、４０×３０画素に間引かれて展開画像データが生成される。この作業に係る時間をＴ（１）とする。
【００６３】
展開画像データは、第１画像処理部１３から第２記憶部１５に転送される。この作業に係る時間は、Ｔ（２）＝４０×３０×βで近似できる。ここでβは上述したものと同様である。
【００６４】
第２記憶部１５に転送された展開画像データは、第２画像処理部１７にて倍角表示され、８０×６０の見出し画像データに処理される。この作業に係る時間は、Ｔ（３）＝４０×３０×μで近似できる。ここで、μは１画素毎に行う倍角処理に係る時間である。
【００６５】
第２画像処理部１７にて倍角処理された見出し画像データは、表示部１９に転送される。この作業に係る時間は、Ｔ（４）＝８０×６０×νで近似できる。ここで、νは１画素毎に係る転送時間である。
【００６６】
上記のことから、本願では、第１記憶部１４に格納された原画像データの見出し画像を、表示部１９に表示するまので時間Ｔは下記のように成る。
2004235767.tif 000004
以下にて、従来の方法に係る時間（Ｔ’）と、本願の方法に係る時間（Ｔ）との比較を行う。具体的には、両者の差を計算することにより大小の比較を行う。
2004235767.tif 000005
ここで、Ｔ’（１）＝Ｔ（１）と仮定する。Ｔ’（１）とＴ（１）とはほぼ同じ作業内容に係る時間だからである。更に、βは外部メモリであるため転送速度が圧倒的に遅いことと、νは内部メモリであり転送速度が圧倒的に速いことを考慮して、β：γ：μ：ν＝５：２：２：１と仮定する。このことにより、上記式は以下の様に成る。
2004235767.tif 000006
ここで、τは情報を転送するのにかかる単位時間である。
【００６７】
上記のことかから、従来の方法に係る時間Ｔ’が、本発明に係る時間Ｔよりも長いので、本発明による見出し画像データの表示方法が早いことが実証された。
【００６８】
次に、本発明に於いて、原画像データがＪＰＥＧ方式で圧縮された場合について説明する。図６を参照して説明したように、原画像の１部分のみを用いて逆量子化および逆ＤＣＴ化を行うことにより、画像の展開に係る時間を１／１６にすることができる。従って、この様な場合に於いて、見出し画像データを表示するのに係る時間は、下記のように成る。
Ｔ＝１／１６×Ｔ（１）＋４０×３０×（β＋μ＋４ν）
従って、従来の方法に係る時間Ｔ’と上式を比較すると、
Ｔ’−Ｔ＝１５／１６×Ｔ（１）＋４０×３０×１７τ
となり、更なる高速化が期待できる。
【００６９】
上記の説明では、主にＪＰＥＧ形式で圧縮された原画像データの見出し画像データを作成して表示する携帯端末機器について説明を行ったが、本発明の要旨を逸脱しない範囲で、種々の変更が可能である。即ち、ＪＰＥＧ以外の形式で原画像が圧縮されている場合でも、本願発明は適用可能である。具体的には、ＤＣＴ変換を用いて圧縮される他の形式の画像ファイルを適用させることができる。更に、Ｗａｖｅｌｅｔ変換を用いるＪＰＥＧ２０００、およびベクトル画像データにも適用可能である。ベクトル画像データでは、本発明を適用することにより、塗りつぶす面積が減少することから、見出し画像データの表示に係る時間を短くすることができる。
【００７０】
更に、第１画像処理部１３にて、一度原画像データ３１の大きさに展開した後に、間引きを行うことにより展開画像データ３２を作成することも可能である。この場合に於いても、展開画像データが見出し画像データよりも小さいので、データの転送に係る時間を削減することができる。また、この方法を用いることにより、ＪＰＥＧ以外の形式で保存された原画像データ３１を用いることができる。具体的には、ＢＭＰ（ＢｉｔＭａＰｓ）、ＰＮＧ（Ｐｏｒｔａｂｌｅ  Ｎｅｔｗｏｒｋ  Ｇｒａｐｈｉｃｓ）およびＧＩＦ（Ｇｒａｐｈｉｃｓ  Ｉｎｔｅｒｃｈａｎｇｅ  Ｆｏｒｍａｔ）等の方式で圧縮された原画像データを本願に適用することも可能である。更にまた、ＭＰＥＧ（Ｍｏｖｉｎｇ  Ｐｉｃｔｕｒｅ  Ｅｘｐｅｒｔｓ  Ｇｒｏｕｐ）等の動画像データを本願に適用することも可能である。動画像の各コマは静止画像であるからである。
【００７１】
【発明の効果】
本発明の携帯端末機器によれば、圧縮データとして第１の記憶部に蓄積された原画像データを、見出し画像よりも小さく展開して展開画像データを作成して、拡大手段により所定の大きさの見出し画像を作成して表示部で表示することにより、画像の転送に掛かる時間を短縮することができる。このような構成により、動作速度が遅いメモリで、記憶部が構成された場合でも、見出し画像データの表示に係る時間を短縮することができる。従って、使用者が操作してから、表示部に見出し画像データが表示されるスピードを向上させることができる。
【００７２】
更に、原画像データがＪＰＥＧ形式で保存された場合には、作成される見出し画像よりも小さい展開画像データに展開することにより、展開に係る時間を短縮することができる。また、原画像データがＪＰＥＧ以外の方式で保存された場合には、一度元も大きさに展開してから間引くことにより、作成される見出し画像よりも小さい展開画像データを作成する。
【００７３】
更に、展開画像データが保存される第２の記憶部および第３の記憶部を、前記した第１の記憶部よりも動作速度が速いメモリで構成することにより、展開画像データおよび見出し画像データの転送速度を向上させることができる。
【図面の簡単な説明】
【図１】本発明の一実施の形態である携帯端末機器の（Ａ）開いた状態での内側（キー面）から見た概観図、（Ｂ）閉じた状態での外側（背面）から見た概観図である。
【図２】同携帯端末機器の電気的構成を説明する概略機能ブロック図である。
【図３】同携帯端末機器の表示部に見出し画像データの表示を行うシーケンスを説明するフローチャートである。
【図４】同携帯端末機器の表示部に見出し画像データの表示を行うシーケンスを説明するフローチャートである。
【図５】同携帯端末機器の（Ａ）見出し画像および原画像を表示部に表示する操作方法を示すフローチャート、（Ｂ）表示部に見出し画像が表示された状態を示す平面図、（Ｃ）表示部に原画像が表示された状態を示す平面図である。
【図６】同携帯端末機器の（Ａ）圧縮された原画像の展開方法のシーケンスを説明するフローチャート、（Ｂ）量子化計数を示すテーブル、（Ｃ）量子化計数を示すテーブルである。
【図７】（Ａ）従来の同携帯端末機器の見出し画像の表示に係る時間を説明するフローチャート、（Ｂ）本発明の同携帯端末機器の見出し画像の表示に係る時間を説明するフローチャートである。
【符号の説明】
１          携帯端末機器としての携帯電話機
２          スピーカー
３          マイク
４          背面キー
１１          制御部
１２          撮像部
１３          第１画像処理部
１４          第１記憶部
１５          第２記憶部
１６          第３記憶部
１７          第２画像処理部
１８          表示ドライバ部
１９          表示部
２０          変換部
２２          キー操作部
２４          アンテナ
２５          無線部
２６          通信制御部
【図１】
2004235767.tif 000007
【図２】
2004235767.tif 000008
【図３】
2004235767.tif 000009
【図４】
2004235767.tif 000010
【図５】
2004235767.tif 000011
【図６】
2004235767.tif 000012
【図７】
2004235767.tif 000013